(57)【要約】【課題】屋外に設置された給湯装置と屋内に設置された無線ＬＡＮ機能を備えたリモコン装置とで構成された給湯システムを提供する。【解決手段】屋外に設置された貯湯給湯装置(2)と、この貯湯給湯装置(2)と給電兼通信ケーブル(9)で通信可能に屋内に設置された台所リモコン(7)とで構成された給湯システム(1)において、貯湯給湯装置(2)には外部の通信網と接続される回線終端装置(15)が装備され、台所リモコン(7)には無線ＬＡＮルーター(17)が装備され、回線終端装置(15)に接続されたＬＡＮケーブル(18)が給電兼通信ケーブル(9)に沿うように配設されて無線ＬＡＮルーター(17)に接続された。【選択図】図１
2020034191.tif 000002
【特許請求の範囲】
【請求項１】
屋外に設置された給湯装置と、この給湯装置と給電兼通信ケーブルで通信可能に屋内に設置されたリモコン装置とで構成された給湯システムにおいて、
前記リモコン装置には無線ＬＡＮルーター機能が設けられたことを特徴とする給湯システム。
【請求項２】
前記給湯装置には、外部の通信網と接続されるモデム又は回線終端装置を格納するための格納部が設けられたことを特徴とする請求項１に記載の給湯システム。
【請求項３】
前記給湯装置には外部の通信網と接続されるモデム又は回線終端装置が装備され、前記リモコン装置には無線ＬＡＮルーターが装備され、
前記モデム又は回線終端装置に接続されたＬＡＮケーブルが前記給電兼通信ケーブルに沿うように配設されて前記無線ＬＡＮルーター接続されたことを特徴とする請求項１又は請求項２に記載の給湯システム。
【発明の詳細な説明】
【技術分野】
【０００１】
本発明は、屋外に設置された給湯装置と屋内に設置されたリモコン装置とで構成された給湯システムに関する。
【背景技術】
【０００２】
従来、一般家庭における回線によるインターネットの利用においては、通信事業者による屋内への回線の引き込み工事が必要となっている。この回線の引き込み工事は、各通信事業者が提供する通信ケーブルを屋外から屋内に引き込む必要があるため、家屋の壁に穴を開けて直接引き込んだり、電話用ケーブル管やエアコンダクトを利用して引き込んでいる。
【０００３】
近年、急速な情報端末機器の発展により、各家庭内において無線ＬＡＮを構築して、パソコンやダブレットの利用だけではなく、スマートフォン、プリンタやモバイルゲーム器等各種ネットワーク対応機器の利用が多くなっているため、回線終端装置の他に、電波を発して無線通信接続を可能とする無線ＬＡＮルーターの設置も必須となっている。
【０００４】
特許文献１に記載のリモコンシステムにおいては、給湯装置の屋内のリモコン装置に通信回路と無線ＬＡＮモジュールを組み込み、屋内に無線ＬＡＮルーターを配置することにより、スマートフォンやパソコンから無線ＬＡＮルーター及び無線ＬＡＮモジュールを介して給湯装置と通信可能に構成し、スマートフォンやパソコンから給湯装置を操作可能に構成している。
【先行技術文献】
【特許文献】
【０００５】
【特許文献１】特開２０１７−９２７２１号公報
【発明の概要】
【発明が解決しようとする課題】
【０００６】
一般家庭においてインターネット利用環境を構築する場合には、回線の引き込み工事が必要である。
しかし、この回線の引き込み工事は、費用が高額であったり、家屋の構造によっては回線の引き込み工事が困難になるといった問題がある。
また、回線を宅内に引き込んだ後、その信号をデジタル信号へ変換するためのモデムや回線終端装置（ＯＮＵ）を設置する必要もあり、無線ＬＡＮルーターや回線終端装置のための設置スペースを確保しなければならないという問題もある。
【０００７】
本発明の目的は、屋外に設置された給湯装置と屋内に設置された無線ＬＡＮ機能を備えたリモコン装置とで構成された給湯システムを提供することである。
【課題を解決するための手段】
【０００８】
請求項１の給湯システムは、屋外に設置された給湯装置と、この給湯装置と給電兼通信ケーブルで通信可能に屋内に設置されたリモコン装置とで構成された給湯システムにおいて、前記リモコン装置には無線ＬＡＮルーター機能が設けられたことを特徴としている。
【０００９】
上記の構成によれば、前記リモコン装置に無線ＬＡＮルーター機能を設けたため、屋内に別途無線ＬＡＮルーターを設置しなくても無線ＬＡＮ環境を構築でき、無線ＬＡＮルーター導入費用を削減でき、設置スペースを他の用途に有効活用することができる。
【００１０】
請求項２の給湯システムは、請求項１の発明において、前記給湯装置には、外部の通信網と接続されるモデム又は回線終端装置を格納するための格納部が設けられたことを特徴としている。
【００１１】
上記の構成によれば、屋外に設置された給湯装置に設けた格納部に前記モデム又は回線終端装置を格納することができるため、屋内への回線の引き込み工事が不要になり、屋外でメンテナンス作業ができる為メンテナンス作業の効率化を図ることができ、さらに、前記モデム又は回線終端装置を設置するスペースを屋内に設ける必要がなくなる。
【００１２】
請求項３の給湯システムは、請求項１又は請求項２の発明において、前記給湯装置には外部の通信網と接続されるモデム又は回線終端装置が装備され、前記リモコン装置には無線ＬＡＮルーターが装備され、前記モデム又は回線終端装置に接続されたＬＡＮケーブルが前記給電兼通信ケーブルに沿うように配設されて前記無線ＬＡＮルーター接続されたことを特徴としている。
【００１３】
上記の構成によれば、前記給湯装置にモデム又は回線終端装置を装備し、前記リモコン装置には無線ＬＡＮルーターを装備し、前記モデム又は回線終端装置に接続されたＬＡＮケーブルを前記給電兼通信ケーブルに沿うように配設して前記無線ＬＡＮルーターに接続することで、給湯装置とリモコン装置とを接続する給電兼通信ケーブルを通すケーブル管を有効活用して、モデム又は回線終端装置と無線ＬＡＮルーターとをＬＡＮケーブルを介して容易に接続可能となる。
【発明の効果】
【００１４】
以上説明したように、本発明は種々の作用効果を奏する。
【図面の簡単な説明】
【００１５】
【図１】本発明の実施形態に係る給湯システムの構成図である。
【発明を実施するための形態】
【００１６】
以下、本発明の実施形態に係る給湯システム１について図面に基づいて説明する。
戸建て住宅の屋外に設置された貯湯給湯装置２は、貯湯給湯ユニット３と、ヒートポンプユニット等の外部熱源機４とで構成されている。
貯湯給湯装置２の制御ユニット５が貯湯給湯ユニット３に装備され、この制御ユニット５が外部熱源機４に設けられた補助制御ユニット６に通信可能に接続されている。
前記住宅の屋内には、貯湯給湯装置２に操作をする為の台所リモコン７と、浴室リモコン８とが設置されている。
【００１７】
前記制御ユニット５と台所リモコン７は、給電可能で且つ通信可能な給電兼通信ケーブル９で接続され、この給電兼通信ケーブル９は図示外のケーブル管内に導設されて住宅の外壁部材１０を貫通状に配設されている。前記制御ユニット５と浴室リモコン８は給電可能で且つ通信可能な給電兼通信ケーブル１１で接続され、この給電兼通信ケーブル１１は図示外のケーブル管内に導設されている。
【００１８】
尚、本発明に係る給湯システム１は、貯湯給湯装置２と、この貯湯給湯装置２に給電兼通信ケーブル９にて接続された台所リモコン７とを含むものである。
【００１９】
この住宅において光回線によるインターネット通信網に接続可能にし、屋内で無線ＬＡＮを構築して、パソコン等のネットワーク対応機器を利用するために、次のように、回線終端装置１５や無線ＬＡＮルーター１７等が設けられている。
【００２０】
貯湯給湯ユニット３の下部の配管スペース１２には、通信事業者が提供する光回線１３（外部の通信網）と接続される回線終端装置１５を格納するための格納部１６が設けられ、その格納部１６に回線終端装置１５が収納して設置される。
なお、貯湯給湯ユニット３の下部には、図示外のカバーが装着される為、回線終端装置１５は直射日光や雨風から防護される。
【００２１】
回線終端装置１５は、貯湯給湯装置２の制御ユニット５と電源ケーブルで接続されており、貯湯給湯装置２から電源が供給される。なお、格納部１６は、筒状に形成された取り付け金具等で構成される。また、貯湯給湯装置２がサービスコンセントを備えていてもよい。
【００２２】
一方、台所リモコン７には、無線ＬＡＮルーター１７が設けられている。この無線ＬＡＮルーター１７が電波を発することで、屋内でネットワーク対応機器と無線通信接続が可能となる。
【００２３】
回線終端装置１５の背面に設けられた光接続端子に光回線１３が接続されて、前記背面に設けられたＬＡＮポートにＬＡＮケーブル１８の一端側の接続端子が接続される。
ＬＡＮケーブル１８は、前記の給電兼通信ケーブル９に沿うように配設されて屋内に引き込まれ、ＬＡＮケーブル１８の他端の接続端子が無線ＬＡＮルーター１７のＬＡＮポートに接続される。
なお、このＬＡＮケーブル１８は、前記給電兼通信ケーブル９と共に図示外のケーブル管内に導設されている。
【００２４】
他方、屋内には、前記の無線ＬＡＮルーター１７と無線通信可能な１又は複数のパソコン１９、１又は複数のタブレット２０、１又は複数のスマートフォン２１など各種ネットワーク対応機器が設けられている。
【００２５】
以上説明した給湯システム１の作用、効果について説明する。
前記台所リモコン７には無線ＬＡＮルーター機能が設けられた為、屋内に別途無線ＬＡＮルーターを設置しなくても無線ＬＡＮ環境を構築でき、無線ＬＡＮルーター導入費用を削減でき、設置スペースを他の用途に有効活用することができる。
【００２６】
また、屋外に設置された貯湯給湯ユニット３に設けた格納部１６に回線終端装置１５を格納することができるため、屋内への光回線１３の引き込み工事が不要になり、屋外でメンテナンス作業ができる為メンテナンス作業の効率化を図ることができ、さらに、回線終端装置１５を設置するスペースを屋内に設ける必要がなくなる。
【００２７】
前記貯湯給湯装置２に回線終端装置１５を装備し、台所リモコン７には無線ＬＡＮルーター１７を装備し、回線終端装置１５に接続されたＬＡＮケーブル１８を給電兼通信ケーブル９に沿うように配設して無線ＬＡＮルーター１７に接続することで、貯湯給湯装置２と台所リモコン７と給電兼通信ケーブル９を有効活用して、回線終端装置１５と無線ＬＡＮルーター１７とをＬＡＮケーブル１８を介して接続された状態で設置することができる。
【００２８】
次に、前記実施形態を部分的に変更する実施形態について説明する。
１）前記光回線がアナログ通信回線である場合には、前記回線終端装置１５の代わりにモデムが設置される。その他の構成は、前記実施形態と同様である。
【００２９】
２）前記台所リモコン７に設けた無線ＬＡＮルーター機能を親機として、浴室リモコン８に無線ＬＡＮルーター子機の機能を設けてもよい。この場合、電波が届きにくい浴室内においてもネットワーク対応機器を利用することができる。
【００３０】
３）前記貯湯給湯装置２は、貯湯タンクを有するものであるが貯湯タンクは必須ものでなく省略可能である。また、外部熱源機４としてヒートポンプユニットが採用されているが、ヒートポンプユニットの代わりに燃料電池装置を採用する場合もある。
【００３１】
４）その他、当業者ならば前記実施形態に種々の変更を付加して実施可能であり、本発明はそのような変更形態も包含するものである。
【符号の説明】
【００３２】
１      給湯システム
２      貯湯給湯装置
３      貯湯給湯ユニット
５      制御ユニット
７      台所リモコン
９      給電兼通信ケーブル
１３    光回線
１５    回線終端装置
１６    格納部
１７    無線ＬＡＮルーター
１８    ＬＡＮケーブル
【図１】
2020034191.tif 000003